(57)【要約】      （修正有）【課題】放射能汚染に対して安全を担保できる、高レベル放射性廃棄物を詰めた容器の一時保管施設、水槽付一時保管施設、二重水槽付一時保管施設を岩盤地層の山の中に建設して提供する。【解決手段】岩盤地層の山の中に、トンネルを掘り、トンネルの左右に直方体、又はかまぼこ型の空間を作り、床、壁、天井の掘削面を鉄筋コンクリートで防護し、空間に高レベル放射性廃棄物を詰めた容器１の一時保管施設４、水槽付一時保管施設５、二重水槽付一時保管施設６を建設し、容器を一時保管管理する。一時保管施設内、外部の岩盤山面２２、排水溝１２の各所に取付けた放射能センサー１３により管理棟１４にて放射能汚染の検知監視をする。【選択図】図１
0003222696.tif 000002
【実用新案登録請求の範囲】
【請求項１】
山腹にトンネルを掘り、トンネルの左右に直方体、又はかまぼこ型の空間を作り床、壁、天井の掘削面を鉄筋コンクリート構造で防護する、用途に応じて鉄筋コンクリート構造鉛板張りで覆い、万一放射能漏れが発生しても放射線が外部に漏れない様に遮蔽する様にした高レベル放射性廃棄物を詰めた容器の一時保管施設の構造。
【請求項２】
一時保管施設の用途に応じて水中保管が必要な場合用として水槽付一時保管施設、及び大地震により水槽がひび割れ漏水しても、水中保管に影響が出ない様に二重水槽付にした高レベル放射性廃棄物を詰めた容器の一時保管施設の構造。
【請求項３】
放射能汚染検知の為、一時保管施設の壁、天井及び一時保管施設を建設している岩盤山面の各所に放射能センサーを取り付け検知データーを管理棟に電送して一時保管施設内及び岩盤山面の大気中の放射能漏れを監視する、又、排水に付いても放射能センサーを取り付け管理棟で監視し、万一放射能汚染のある場合は、浄化設備棟で処理出来る様にした高レベル放射性廃棄物を詰めた容器の一時保管施設の構造。
【考案の詳細な説明】
【技術分野】
【０００１】本考案は日本国の決めた、高レベル放射性廃棄物を詰めた容器の（地層処分）案では放射性物質の閉じ込めに付いて、何万年もの間の放射能汚染に対する安全担保に疑問が有るとの意見も有るので、別の処分方法として想定できる、近い将来に（数十年から数百年の間）地球上から宇宙空間に物資を安全に搬送できる技術が開発確立されたら［ロケット打ち上げ、スペースシャトル（有人宇宙往復船）、宇宙エレベーター（軌道エレベーター）等］にて、高レベル放射性廃棄物を詰めた容器を、宇宙空間に運搬して適切な容量をまとめて、ロケットにて牽引し太陽の引力圏内に運搬投入して太陽コロナの１００万度の高温により（焼却処分）する技術が開発確立されるまでの期間、高レベル放射性廃棄物を詰めた容器の一時保管施設を必要な数だけ岩盤地層の山の中に建設するものである。
【背景技術】
【０００２】日本国では、２０００年に、高レベル放射性廃棄物を詰めた容器の最終処分に関する法律が制定され、地下３００Ｍより深い岩盤に埋め、数万年から約１０万年にわたり生活環境から隔離する（地層処分）の方針が決まったが、２０１５年日本学術会議（科学者の国会とされる）は、報告書で地震が地下水の流れに影響するなどして放射性物質を閉じ込めきれない可能性を指摘、さらなる研究が必要だと提言した。この為国民の不安は根強く、２０１６年９月と２０１７年３月に経済産業省が実施した、パブリックコメント（意見公募）には、（何万年もの間の放射能汚染に対する安全を担保できるのか？）（地層処分は、やめるべきだ）など慎重な意見も多く最終処分地も未定である、又、処分場の建設や運営にかかる金額は、２０１６年１２月末の経済産業省の試算では、３兆７０００億円と莫大である。
【考案の開示】
【考案が解決しようとする課題】
【０００３】日本国は、高レベル放射性廃棄物を詰めた容器の最終処分方法を地下３００Ｍより深い岩盤に埋める（地層処分）に方針を決めたが、日本学術会議の報告書では、地震が地下水の流れに影響するなどして放射性物質を閉じ込めきれない可能性を指摘した、この為、国民の不安は根強く何万年もの間の放射能汚染に対する安全を担保できるのか？（地層処分）はやめるべきだ、などの意見も多く、現在最終処分地も未定である。
【課題を解決するための手段】
【０００４】高レベル放射性廃棄物を詰めた容器（１）の（地層処分）の方針では、何万年もの間の放射能汚染に対する安全担保を疑問視する意見がある為、近い将来開発されると想定できる、太陽コロナの高温により（焼却処分）する技術が開発確立されるまでの期間の、高レベル放射性廃棄物を詰めた容器（１）の一時保管施設の構造、組合せを考案した。
その一時保管施設の構造は、山腹にトンネル（１０）を掘り、その左右に直方体、又はかまぼこ型の空間を必要な数だけ作り、床、壁、天井を鉄筋コンクリート構造（３）で防護する、又一時保管施設の用途に応じて鉄筋コンクリート構造鉛板張り（２）で覆い外部に放射能が漏れない様にした、又一時保管施設での水中保管が適切な場合には、水槽付一時保管施設（５）にて保管する、又大地震での水槽ひび割れ漏水に対応出来る様、二重水槽付一時保管施設（６）を建設して、高レベル放射性廃棄物を詰めた容器（１）をそれぞれ適切な場所にて一時保管管理する、  一時保管施設内の壁、天井及び外部の岩盤山面（２２）、排水溝（１２）の各所に取付けた放射能センサー（１３）により管理棟（１４）にて放射能汚染の検知、監視をする、又排水に放射能汚染が発生した場合は、浄化設備棟（１５）で処理する、
この様な構造、組合せの一時保管施設（４）、水槽付一時保管施設（５）、二重水槽付一時保管施設（６）にて、高レベル放射性廃棄物を詰めた容器（１）を保管管理する事により、近い将来（数十年から数百年の間）までの放射能汚染に対する安全を担保出来る様にした。
【考案の効果】
【０００５】高レベル放射性廃棄物を詰めた容器（１）の一時保管施設（４）、水槽付一時保管施設（５）、二重水槽付一時保管施設（６）を建設し、適切な施設に（数十年から数百年の間）一時保管管理する方が、何万年もの間の放射能汚染に対する安全を担保しなければならない（地層処分）案よりは、放射能汚染に対する安全を担保出来ると考えられる、この様な状況内容であれば、最終処分地では無く、一時保管施設の建設地として、国民、住民の建設同意も得やすいと思われる、又（地層処分）案の建設、運営費試算３兆７０００億円に対し本考案の方が、大変安価で済むと思われる。
【図面の簡単な説明】
【０００６】
【図１】高レベル放射性廃棄物を詰めた容器の一時保管施設の平面図である。
【図２】高レベル放射性廃棄物を詰めた容器の一時保管施設の断面図である。
【図３】水槽付一時保管施設の（Ａ）〜（Ａ）断面図である。
【図４】二重水槽付一時保管施設の（Ｂ）〜（Ｂ）断面図である。
【符号の説明】
【０００７】（１）高レベル放射性廃棄物を詰めた容器
（２）鉄筋コンクリート構造表面鉛板張り
（３）鉄筋コンクリート構造      （４）一時保管施設
（５）水槽付一時保管施設        （６）二重水槽付一時保管施設
（７）外水槽        （８）内水槽        （９）作業スペース
（１０）トンネル        （１１）出入口扉        （１２）排水溝
（１３）放射能センサー        （１４）管理棟
（１５）排水放射能センサー浄化設備棟        （１６）搬出入道路
（１７）架台        （１８）水        （１９）水面        （２０）給水管
（２１）水槽        （２２）岩盤山面
【図１】
0003222696.tif 000003
【図２】
0003222696.tif 000004
【図３】
0003222696.tif 000005
【図４】
0003222696.tif 000006
【手続補正書】
【提出日】令和1年5月9日(2019.5.9)
【手続補正１】
【補正対象書類名】実用新案登録請求の範囲
【補正対象項目名】全文
【補正方法】変更
【補正の内容】
【実用新案登録請求の範囲】
【請求項１】
山腹にトンネルを掘り、トンネルの左右に直方体、又はかまぼこ型の空間を作り床、壁、天井の掘削面を鉄筋コンクリート構造で防護する、又、別の空間では、掘削面を鉄筋コンクリート構造鉛板張りで覆い、万一放射能漏れが発生しても放射線が外部に漏れない様に遮蔽する様にした高レベル放射性廃棄物を詰めた容器の一時保管施設の構造。
【請求項２】
トンネルの左右に作る前記空間内の、水槽付一時保管施設では、空間の床面より下部に鉄筋コンクリート構造の水槽本体を作り、水槽の底部に、万一、一時保管する容器から放射線が漏れても放射線の透過力を弱める目的で、水槽内の水の厚さを確保する為の鉄筋コンクリート構造、又はステンレス鋼製の架台を設置し、その上に高レベル放射性廃棄物を詰めた容器を置き、水槽に水を満たして水中保管する、万一放射線が漏れても水槽に満たした水で放射線の透過力が弱まる様にした、又地震などで水槽にひび割れが出来て漏水して水位が下がった場合は、給水管ですぐ水の補給が出来る様にした、又、トンネルの左右に作る別の前記空間内の、二重水槽付一時保管施設では、空間の床面より下部に鉄筋コンクリート構造で外水槽を作り、想定外の大地震が発生した場合でも水中に一時保管する容器に影響が出ない様にする為に、万一地殻変動によるひび割れで外水槽が漏水して水が空になっても、水が抜けて無くなるまでの間、外水槽の水に、内水槽に加わる地震の横揺れ力の吸収材の役目を持たせた、それから外水槽の底部にステンレス鋼製の水が満タンに入っていても自立出来る強度の内水槽を設置して、その水が満タンに入った内水槽の中に、万一、一時保管する容器から放射線が漏れても放射線の透過力を弱める目的で、水槽内の水の厚さを確保する為のステンレス鋼製の架台を設置し、その上に高レベル放射性廃棄物を詰めた容器を置き、水中保管する、万一放射線が漏れても、内水槽に満たした水で放射線の透過力が弱まる様にした事を特徴とする請求項１記載の高レベル放射性廃棄物を詰めた容器の一時保管施設の構造。
【請求項３】
放射能汚染検知の為、一時保管施設の壁、天井及び一時保管施設を建設している岩盤山面の各所に放射能センサーを取り付け検知データーを管理棟に電送して一時保管施設内及び岩盤山面の大気中の放射能漏れを監視する、又、排水に付いても放射能センサーを取り付け管理棟で監視し、万一放射能汚染がある場合は、浄化設備棟で処理出来る様にした事を特徴とする請求項１又は２記載の高レベル放射性廃棄物を詰めた容器の一時保管施設の構造。